(57)【要約】【課題】凍結溶媒を用いて被凍結物を凍結する際に、被凍結物の素材や形態に応じて効率的に被凍結物を凍結することが可能な凍結装置を提供する。【解決手段】凍結溶媒Ｓを用いて被凍結物を凍結する凍結装置１であって、内部の温度を調節可能な第一の凍結空間および第二の凍結空間を有し、第一の凍結空間には、前記凍結溶媒Ｓを封入した凍結溶媒袋１５が複数充填され、第二の凍結空間には、凍結溶媒Ｓが、被凍結物を浸漬可能に収容されている。【選択図】図１
2014214911.tif 000002
【特許請求の範囲】
【請求項１】
凍結溶媒を用いて被凍結物を凍結する凍結装置であって、
内部の温度を調節可能な第一の凍結空間および第二の凍結空間を有し、
前記第一の凍結空間には、前記凍結溶媒を封入した凍結溶媒袋が複数充填され、
前記第二の凍結空間には、前記凍結溶媒が、前記被凍結物を浸漬可能に収容されている、凍結装置。
【請求項２】
前記第一の凍結空間を形成する第一の引き出しと、前記第二の凍結空間を形成する第二の引き出しとを備える、請求項１に記載の凍結装置。
【請求項３】
前記第二の凍結空間では、前記凍結溶媒が、蓋付き容器に収納された状態で収容されている、請求項１または２に記載の凍結装置。
【請求項４】
前記第二の引き出し内に前記凍結溶媒が充填されており、
前記第二の引き出しが、当該第二の引き出しの引き出し時に引き出し方向手前側への前記凍結溶媒の越流を防止する液漏れ防止機構を備える、請求項２に記載の凍結装置。
【請求項５】
前記第一の凍結空間と前記第二の凍結空間とが上下に隣接配置されており、
前記第一の凍結空間が前記第二の凍結空間の上側に位置する、請求項１〜４の何れかに記載の凍結装置。
【発明の詳細な説明】
【技術分野】
【０００１】
本発明は、凍結溶媒を用いて被凍結物を凍結する凍結装置に関する。
【背景技術】
【０００２】
従来、ブラインとも称される凍結溶媒を用いて被凍結物を凍結する技術として、例えば−２０℃〜−３５℃の凍結溶媒を用いて被凍結物を凍結する液体冷却式凍結法が知られている。具体的には、液体冷却式凍結法の一例として、凍結溶媒（ブライン）を封入したブライン袋を使用し、被凍結物を複数のブライン袋の間に挟み込むことで、被凍結物を凍結する技術が知られている。（例えば、特許文献１参照）。
【先行技術文献】
【特許文献】
【０００３】
【特許文献１】特開２００５−１９２５３３号公報
【発明の概要】
【発明が解決しようとする課題】
【０００４】
上記のような凍結溶媒を用いた凍結技術によれば、気体よりも熱伝導率の高い凍結溶媒を用いて被凍結物を凍結することができるので、送風凍結法(エアーブラスト式凍結法)とは異なり、被凍結物を凍結する際に最大氷結晶生成温度帯（０℃〜−５℃）を可能な限り早く通過させることができる。従って、凍結溶媒を用いた凍結技術を用いれば、細胞破壊や身割れ（クラック）を生じることなく被凍結物を凍結することができる。そのため、上記液体冷却式凍結法は、従来、主に食肉や魚肉等の食品を凍結する際に好適に用いられていた。
【０００５】
ここで、近年では、食品分野以外の様々な分野においても被凍結物を効率的に凍結することが求められている。具体的には、例えば医療分野では、血液、皮膚細胞、ｉＰＳ細胞などの様々な被凍結物を効率的に凍結することが求められている。そして、そのような被凍結物を凍結する技術として、凍結溶媒を用いた凍結技術が注目されている。
【０００６】
しかしながら、従来、上述した凍結溶媒を用いた凍結装置は、主に食品を凍結することを目的として開発されていた。そのため、医療分野等の他分野での利用に伴い被凍結物の種類が多様化した場合には、従来の凍結装置では、被凍結物を効率的に凍結することができない場合があった。具体的には、例えば医療分野においては、輸血パックなどの比較的大きい（サイズが数ｃｍ〜数十ｃｍ程度の）被凍結物と、皮膚細胞やｉＰＳ細胞のサンプルなどの非常に小さい（サイズが数ｍｍ程度の）サンプルとを制御された温度条件下で凍結することが求められるが、従来の凍結装置では、素材や形態が大きく異なる被凍結物を一つの凍結装置内で効率的に凍結することができなかった。
【０００７】
それゆえ本発明は、凍結溶媒を用いて被凍結物を凍結する際に、被凍結物の素材や形態に応じて効率的に被凍結物を凍結することが可能な凍結装置を提供することを目的とする。
【課題を解決するための手段】
【０００８】
本発明は、上記課題を解決するためになされたものであり、本発明の凍結装置は、
凍結溶媒を用いて被凍結物を凍結する凍結装置であって、
内部の温度を調節可能な第一の凍結空間および第二の凍結空間を有し、
前記第一の凍結空間には、前記凍結溶媒を封入した凍結溶媒袋が複数充填され、
前記第二の凍結空間には、前記凍結溶媒が、前記被凍結物を浸漬可能に収容されていることを特徴とする。
【０００９】
かかる凍結装置によれば、被凍結物を凍結溶媒袋の間に挟み込んで凍結する方法と、被凍結物を直接、または袋等に封入した状態で凍結溶媒に浸漬させて凍結する方法とを使い分けて被凍結物を凍結することができるので、被凍結物の素材や形態に応じて効率的に被凍結物を凍結することができる。また、凍結空間内の温度が調節可能なので、制御された温度条件下で凍結溶媒を用いて被凍結物を凍結することができる。
【００１０】
なお、本発明の凍結装置にあっては、
前記第一の凍結空間を形成する第一の引き出しと、前記第二の凍結空間を形成する第二の引き出しとを備えることが好ましく、これによれば、第一および第二のそれぞれの凍結空間に対する被凍結物の導入および取り出しを容易に行うことができる。また、被凍結物の導入または取り出しの際に被凍結物の導入または取り出しを行っていない側の凍結空間の温度が上昇することを抑制することができる。
【００１１】
また、本発明の凍結装置にあっては、
前記第二の凍結空間では、前記凍結溶媒が、蓋付き容器に収納された状態で収容されていることが好ましく、これによれば、凍結溶媒が、凍結装置の外部に誤って流出することを防止するとともに、第二の凍結空間内全体に凍結溶媒を満たす必要がないので、使用する凍結溶媒の量を低減することができる。また、凍結装置内で所望の温度に冷却された凍結溶媒を収容する蓋付き容器を第二の凍結空間から取り出して、蓋を開けて被凍結物を浸漬させることで、冷却装置の外部で被凍結物の凍結作業を行うことができる。従って、被凍結物の浸漬または取り出しの際に第二の凍結空間内の温度が上昇することを抑制することができる。
【００１２】
また、本発明の凍結装置にあっては、
前記第二の引き出し内に前記凍結溶媒が充填されており、
前記第二の引き出しが、当該第二の引き出しの引き出し時に引き出し方向手前側への前記凍結溶媒の越流を防止する液漏れ防止機構を備えることが好ましく、これによれば、第二の引き出し内に凍結溶媒が直接充填されている場合でも、引き出した時の勢いで凍結溶媒が作業者（引き出し者）側に越流することを抑制し、作業の安全性を高めることができる。
【００１３】
また、本発明の凍結装置にあっては、
前記第一の凍結空間と前記第二の凍結空間とが上下に隣接配置されており、
前記第一の凍結空間が前記第二の凍結空間の上側に位置することが好ましく、これによれば、第一の凍結空間側からの冷気により第二の凍結空間内を効果的に冷却することができるので、第二の凍結空間内の温度を安定させることができる。また、第二の凍結空間が下側に位置することで、凍結溶媒が第二の凍結空間から流出した場合にも、作業者に凍結溶媒が付着する可能性を低減し、より安全性を高めることができる。
【発明の効果】
【００１４】
本発明によれば、凍結溶媒を用いて被凍結物を凍結する際に、被凍結物の素材や形態に応じて効率的に被凍結物を凍結することが可能な凍結装置を提供することができる。
【図面の簡単な説明】
【００１５】
【図１】（ａ）は、本発明に係る一実施形態の凍結装置を示す斜視図であり、（ｂ）は、図１（ａ）に示す凍結装置の、凍結空間の内部を示す図である。
【図２】本発明に係る他の実施形態の凍結装置を示す斜視図である。
【発明を実施するための形態】
【００１６】
以下に、図面を参照しつつ、本発明の実施の形態について例示説明する。
図１（ａ）に示す凍結装置１は、前面に開口部３を有する筐体５および片開き式の扉７を備え、扉７は開閉自在に筐体５に設けられて、閉じた状態で該開口部３を塞ぐ。なお、筐体５および扉７の形状および開口部３の位置は特に限定されるものではない。また、凍結装置１内の凍結空間を、所望の温度に維持する観点から、筐体５および扉７は断熱性を有することが好ましい。
【００１７】
凍結装置１は筐体５の内部に、第一の凍結空間を形成する第一の引き出し９と、第二の凍結空間を形成する第二の引き出し１１とを備える。なお、この例において、第一の凍結空間および第二の凍結空間は、上下に隣接配置されているが、左右に隣接配置されていてもよい。また、凍結空間は２つに限定されず、適切な形態の凍結空間をさらに追加で設けてもよい。また、第一および第二の凍結空間の形態は、引き出しに限定されず、例えば、筐体５内を仕切り部材等で棚状に区画し、開口部３側を扉７で閉止可能とした形態であってもよい。
【００１８】
凍結装置１は、筐体５の内部で各引き出しの外側に配置された、例えば内部に所定温度の冷媒が流通する冷媒管等の冷却手段（図示しない）を備える。この冷却手段により、第一の引き出し９および第二の引き出し１１をそれぞれ冷却し、各引き出し内部の温度を所望の温度に調節することができる。なお、温度調節の操作についても特に限定されるものではないが、例えば、図１（ａ）に示す画面部２１に表示される設定温度や現在の内部温度等を確認しながら、ボタンやタッチパネル等で構成される操作部２３を操作し、所望の設定温度を入力して流通する冷媒の温度や流量を既知の方法で変更することにより温度を調節することができる。なお、第一の引き出し９内の温度と、第二の引き出し１１内の温度とは、同一の温度となるように制御してもよいし、異なる温度となるように制御してもよい。また、第一および第二の引き出し９、１１の内部の温度は、０℃以下であればよいが、被凍結物を適切な速度で凍結する観点から、−４５℃以下が好ましく、−６０℃以下がより好ましい。
【００１９】
第一の引き出し９および第二の引き出し１１は、扉７を解放した状態で、それぞれの引き出しに設けられた取っ手１３を手前に引くことによって、引き出すことができる。
【００２０】
第一の引き出し９には、凍結溶媒Ｓを封入した凍結溶媒袋１５が複数充填されている。この例において、第一の引き出し９には、凍結溶媒袋１５が、３段に積重ねて配置（充填）されている。凍結溶媒袋１５および凍結溶媒袋１５内の凍結溶媒Ｓは、第一の引き出し９に充填されてから、次第に第一の引き出し９の内部の温度に近づき、当該温度に達した後は、当該温度に維持される。
【００２１】
凍結溶媒袋１５は、例えばプラスチック等の袋に凍結溶媒Ｓを封入したものであり、凍結溶媒袋１５は、被凍結物の外形に追従して変形可能な程度に適度な柔軟性を有し、高い熱伝導性を有することが好ましい。また、凍結溶媒袋１５の大きさは、第一の引き出し９内の底面と同等の幅を有する図示例のものに限定されず、任意の大きさとすることができる。凍結溶媒袋１５としては、例えば特開2005-192533号に記載のブライン袋を使用することができる。
【００２２】
第二の引き出し１１には、凍結溶媒Ｓが、被凍結物を浸漬可能に収容されている。この例において、第二の引き出し１１には、凍結溶媒Ｓが蓋付き容器１７に収納された状態で収容されている。蓋付き容器１７および蓋付き容器１７内の凍結溶媒Ｓは、第二の引き出し１１に収容されてから次第に第二の引き出し１１の内部の温度に近づき、当該温度に到達後、維持される。なお、蓋付き容器１７の形状は、特に限定されるものではないが、例えば図示のような円筒形状とすることができる。また、蓋付き容器１７は、熱伝導性に優れた金属製であることが好ましく、低温状況下での使用に適したステンレスがより好ましい。
【００２３】
被凍結物としては、特に限定されるものではないが、例えば、食肉や魚肉等の食品、ヒトを含む動物の器官、組織、細胞、血液、または培養細胞、培養組織、血液製剤等が挙げられる。
【００２４】
凍結溶媒Ｓは、使用する温度範囲で液体であれば特に限定されるものではないが、例えばエチルアルコールやメチルブタンとすることができる。
【００２５】
上記構成を有する凍結装置１を使用する場合には、予め、凍結溶媒袋１５および蓋付き容器１７をそれぞれ、所望の温度に調節した第一の引き出し９および第二の引き出し１１内に一定時間放置し、所望の温度に達するまで冷却しておく。そして、被凍結物を凍結する際には、当該被凍結物の素材や形態等に応じて、第一の引き出し９に充填された凍結溶媒袋１５の間に挟み込むか、第二の引き出し１１に収容された凍結溶媒Ｓに浸漬させるかを選択して凍結する。例えば、被凍結物の比表面積が比較的大きい場合には、第一の引き出し９内で凍結溶媒袋１５の間に挟み込み、逆に、比表面積が比較的小さい場合には、第二の引き出し１１から蓋付き容器１７を取り出して蓋を開けて凍結溶媒Ｓに浸漬し、被凍結物の凍結後に蓋付き容器１７を引き出し１１に戻すといった選択が可能となる。また、凍結手段の使い分けの他の判断基準としては、例えば、凹凸が少なく、凍結溶媒袋１５との接触面積が十分に確保される被凍結物は凍結溶媒袋１５の間に挟み込み、逆に、凹凸が多い被凍結物は、凍結溶媒Ｓに浸漬するといった判断基準が挙げられる。更に、凍結手段の使い分けの別の判断基準としては、輸血パックなどの薄厚で大型の被凍結物は凍結溶媒袋１５の間に挟み込み、ｉＰＳ細胞などの各種細胞サンプルを収容した小型の保存容器や培養容器などの被凍結物は凍結溶媒Ｓに浸漬するといった判断基準が挙げられる。
【００２６】
したがって、本実施形態の凍結装置１によれば、個々の被凍結物の素材や形態に応じて、凍結手段を選択することで、凍結溶媒Ｓを用いた被凍結物の凍結を、効率的に行うことが可能となる。また、液体である凍結溶媒Ｓを用いた液面接触による凍結方法なので、一般的な冷凍庫のような気体接触の凍結方法に比べて急速に被凍結物を凍結し、被凍結物の細胞破壊等を抑制することができる。また、凍結空間内の温度が調節可能なので、制御された温度条件下で凍結溶媒Ｓを用いて被凍結物を凍結することができる。さらに、実際に接触させた凍結溶媒Ｓの温度が把握できるので、例えば細胞の凍結に適した温度の研究などが可能になる。
【００２７】
なお、本実施形態の凍結装置１にあっては、第一および第二の凍結空間をそれぞれ引き出し９，１１としたことで、被凍結物の導入および取り出しが容易となる。また、扉７が開いた状態でも、引き出し９，１１を引き出さない限りは凍結空間を閉塞することができ、凍結空間内の温度上昇を抑制することができる。
【００２８】
また、本実施形態の凍結装置１にあっては、第二の凍結空間を形成する第二の引き出し１１内で、凍結溶媒Ｓが、蓋付き容器１７に収納された状態で収容されているため、第二の引き出し１１を引き出した際などに凍結溶媒Ｓが外部に誤って流出することを防止することができるとともに、第二の凍結空間内全体に凍結溶媒Ｓを満たす必要がないので、使用する凍結溶媒Ｓの量を低減することができる。また、蓋付き容器１７を第二の凍結空間を形成する第二の引き出し１１から取り出した状態で、被凍結物の凍結作業を行うことができるので、その間、第二の引き出し１１および扉７を閉じることで、凍結空間内の温度上昇を抑制することができる。
【００２９】
また、本実施形態の凍結装置１にあっては、第一の凍結空間を形成する第一の引き出し９と、第二の凍結空間を形成する第二の引き出し１１とが上下に隣接配置されており、第一の凍結空間が第二の凍結空間の上側に位置している。これによれば、凍結溶媒袋１５が密に充填された第一の引き出し９側からの冷気が第二の引き出し１１に流れ込むため、凍結空間内の温度を安定させることができる。また、第二の引き出し１１が下側に位置することで、蓋付き容器１７が取り出し易いと共に、凍結溶媒Ｓが蓋付き容器１７から流出した場合にも、作業者に凍結溶媒Ｓが付着する可能性を低減し、より安全性を高めることができる。
【００３０】
ここで、被凍結物が血液である場合には、凍結溶媒Ｓの温度は、−８０〜−５０℃であることが好ましく、これによれば、細胞破壊等を生じることなく、適切な速度で、より確実に凍結することが可能となる。
【００３１】
また、被凍結物が皮膚組織であり、凍結溶媒Ｓに浸漬させて凍結する場合の凍結溶媒Ｓの温度は、−５０〜−３０℃であることが好ましく、これによれば、細胞破壊等を生じることなく、適切な速度で、より確実に凍結することが可能となる。同様の観点から、凍結溶媒袋１５の間に挟み込んで凍結する場合において、凍結溶媒袋１５内の凍結溶媒Ｓの温度は、−８０℃であることが好ましい。
【００３２】
さらに、特に厚さの大きい被凍結物を超低温で凍結する場合には、クラックと呼ばれる亀裂が被凍結物の内部に生じる虞がある。これは、凍結が進むにつれて被凍結物が膨張して内部に熱を生じ、一方、表面側は急激に冷やされて温度が下がるため、逃げ場を失った熱によって亀裂が発生するものである。このクラックを防止するため、被凍結物の厚さに応じて、凍結溶媒Ｓの温度を調節することが好ましい。好適な温度は被凍結物の成分組成によっても異なるが、例えば、被凍結物の厚さが１ｃｍを越える場合には、凍結溶媒Ｓの温度を−４０℃以上とすることができる。
【００３３】
ここで、被凍結物が、例えばパック内部に連通する管を備えた血液パック等の複雑な形状を有するものである場合、血液パック全体を袋等に入れて、血液パックと袋の間の空気を抜いた（脱気）状態で凍結することが好ましく、これによれば、複雑な形状でも、凍結溶媒の接触する表面積を確保して、容易に、且つ、安全に被凍結物を凍結することができる。
【００３４】
なお、上述の実施形態では、第二の引き出し１１には、凍結溶媒Ｓが、蓋付き容器１７に収納された状態で収容されている例を示したが、凍結溶媒Ｓを直接、第二の引き出し１１に充填してもよい。この場合、例えば図２に示すような、液漏れ防止機構としての板状の蓋部１９を、第二の引き出し１１の引き出し方向手前側の上部を覆って設けることにより、第二の引き出し１１を引き出した際における、引き出し方向手前側への凍結溶媒Ｓの越流を防止することが可能となる。
【産業上の利用可能性】
【００３５】
かくして本発明により、凍結溶媒を用いて被凍結物を凍結する際に、被凍結物の素材や形態に応じて効率的に被凍結物を凍結することが可能となる凍結装置を提供することが可能となった。
【符号の説明】
【００３６】
１  凍結装置
３  開口部
５  筐体
７  扉
９  第一の引き出し（第一の凍結空間）
１１  第二の引き出し（第二の凍結空間）
１３  取っ手
１５  凍結溶媒袋
１７  蓋付き容器
１９  蓋部（液漏れ防止機構）
Ｓ  凍結溶媒
【図１】
2014214911.tif 000003
【図２】
2014214911.tif 000004
【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
凍結溶媒を用いて被凍結物を凍結する凍結装置であって、
内部の温度を調節可能な第一の凍結空間および第二の凍結空間を有し、
前記第一の凍結空間には、前記凍結溶媒を封入した凍結溶媒袋が、前記被凍結物を接触可能に複数充填され、
前記第二の凍結空間には、前記凍結溶媒が、前記被凍結物を浸漬可能に収容されている、凍結装置。
【請求項２】
前記第一の凍結空間を形成する第一の引き出しと、前記第二の凍結空間を形成する第二の引き出しとを備える、請求項１に記載の凍結装置。
【請求項３】
前記第二の凍結空間では、前記凍結溶媒が、蓋付き容器に収納された状態で収容されている、請求項１または２に記載の凍結装置。
【請求項４】
前記第二の引き出し内に前記凍結溶媒が充填されており、
前記第二の引き出しが、当該第二の引き出しの引き出し時に引き出し方向手前側への前記凍結溶媒の越流を防止する液漏れ防止機構を備える、請求項２に記載の凍結装置。
【請求項５】
前記第一の凍結空間と前記第二の凍結空間とが上下に隣接配置されており、
前記第一の凍結空間が前記第二の凍結空間の上側に位置する、請求項１〜４の何れかに記載の凍結装置。
【手続補正２】
【補正対象書類名】明細書
【補正対象項目名】０００８
【補正方法】変更
【補正の内容】
【０００８】
本発明は、上記課題を解決するためになされたものであり、本発明の凍結装置は、
凍結溶媒を用いて被凍結物を凍結する凍結装置であって、
内部の温度を調節可能な第一の凍結空間および第二の凍結空間を有し、
前記第一の凍結空間には、前記凍結溶媒を封入した凍結溶媒袋が、前記被凍結物を接触可能に複数充填され、
前記第二の凍結空間には、前記凍結溶媒が、前記被凍結物を浸漬可能に収容されていることを特徴とする。